(57)【特許請求の範囲】
【請求項１】
浴槽を、長手方向及び／又は横幅方向の中間位置で一つ以上の分割線に沿って縦割りすることにより、複数の槽部分に分割した状態に形成し、上記各槽部分の結合部には、外側に張り出すフランジ状の接合縁を形成しておき、これらの槽部分を、分割状態で浴室内に搬入したあと、該浴室内において、上記接合縁を相互に接合して金具で固定すると共に、固定した接合縁の回りを上記金具ごと液密性のシール層と硬質の保護層とで被覆することにより、一体に結合することを特徴とする浴槽の設置方法。
【請求項２】
浴槽を、長手方向及び／又は横幅方向の中間位置で複数の分割線に沿って縦割りすることにより、槽の両端部を形成する２つの端部槽部分と、これらの端部槽部分の間に位置する１つ以上の中間槽部分とに分割した状態に形成し、上記各槽部分の結合部には、外側に張り出すフランジ状の接合縁を形成しておき、これらの槽部分を分割状態で浴室内に搬入すると共に、上記中間槽部分を取捨選択することによって浴槽の寸法を浴室に合わせて調節したあと、上記接合縁を相互に接合して金具で固定すると共に、固定した接合縁の回りを上記金具ごと液密性のシール層と硬質の保護層とで被覆することにより、相互に一体に結合することを特徴とする浴槽の設置方法。
【請求項３】
上記各槽部分がさらに、高さ方向の中間位置で上下に分割されていることを特徴とする請求項１又は２に記載の浴槽の設置方法。
【請求項４】
上端部外周に外側に張り出すフランジ部を有する浴槽を、高さ方向の中間位置で上側槽部分と下側槽部分とに２分割すると共に、上記フランジ部を含む上側槽部分を長手方向の中間位置で右側槽部分と左側槽部分とに２分割した状態に形成し、上記各槽部分の結合部には、外側に張り出すフランジ状の接合縁を形成しておき、これらの槽部分を浴室内に搬入したあと、上記接合縁を相互に接合して金具で固定すると共に、固定した接合縁の回りを上記金具ごと液密性のシール層と硬質の保護層とで被覆することにより、該浴室内において一体に結合することを特徴とする浴槽の設置方法。
【請求項５】
浴槽を長手方向及び／又は横幅方向の中間位置で一つ以上の分割線に沿って縦割りした形の複数の槽部分からなり、上記各槽部分は、それぞれの結合部に外側に張り出すフランジ状の接合縁を有していて、これらの接合縁を相互に接合して金具で固定すると共に、固定した接合縁の回りを上記金具ごと液密性のシール層と硬質の保護層とで被覆することにより、これらの槽部分を一体に結合して構成されていることを特徴とする浴槽。
【請求項６】
上端部外周に外側に張り出すフランジ部を有する浴槽であって、該浴槽を高さ方向の中間位置で上側槽部分と下側槽部分とに２分割すると共に、上記フランジ部を含む上側槽部分を長手方向の中間位置で右側槽部分と左側槽部分とに２分割した構成を有し、上記各槽部分は、それぞれの結合部に外側に張り出すフランジ状の接合縁を有していて、これらの接合縁を相互に接合して金具で固定すると共に、固定した接合縁の回りを上記金具ごと液密性のシール層と硬質の保護層とで被覆することにより、これらの槽部分を一体に結合して組み立てられていることを特徴とする浴槽。
【発明の詳細な説明】
【０００１】
【発明の属する技術分野】
本発明は、マンションやその他の住宅などにおける出入口が狭い浴室に、浴槽を簡単且つ確実に搬入して設置するための技術に関するものである。
【０００２】
【従来の技術】
例えばマンション等において浴室のリフォームを行うに当たり、古くなった浴槽を新しいものと交換するような場合に、古い浴槽は小さく解体して搬出することができるが、新しい浴槽はそのまま浴室内に運び込まなければならない。ところが、マンション等の集合住宅は一般に、浴室に至る通路が狭くて曲がりくねっていたり、浴室の出入口が狭く作られていたりするため、これらの狭い通路や出入口等を通じて浴槽を運び込むのは非常に困難な作業である。特に、浴槽は一方向に細長い形状を有していて、この細長い形状が、狭い通路や出入口を通じての搬入や方向転換などを困難にしている。
【０００３】
このような場合に従来では、通路の角部や浴室の出入口等を部分的に壊して間口を広くし、新たな浴槽を搬入して設置したあと、壊した部分を復元するといったような手法が取られているが、多くの手数と時間と費用とを必要とするため、非常に不経済である。
【０００４】
一方、特開平９−２８５４１７号公報には、浴槽を水平方向の分割線に沿って輪切りにすることにより上下２つ又は３つのパーツに分割し、これらの各パーツを接離可能に連結することにより浴槽を形成するようにしたものが開示されている。この公知例によれば、浴槽を分解した状態で運搬して浴室内に搬入することができるため、通路や出入口が比較的狭くても搬入は可能である。
【０００５】
しかしながらこの公知例は、浴槽を水平方向に輪切りにしているため、各パーツの高さは浴槽の高さより低くなっているが、それらの長さ及び横幅は浴槽の長さ及び横幅と全く同じである。このため、各パーツを横向きにすれば、浴槽を分割しない場合よりは運搬や浴室内への搬入が容易になるが、長さと横幅は変わらないため、狭い通路や浴室の出入口あるいは浴室内などでの方向転換は相変わらず面倒で、取り扱い性に難点がある。特に、ユニットバスのような上端部外周に外側に大きく張り出すフランジ部を有する浴槽の場合には、このフランジ部を有する最上段のパーツの長さ及び横幅が大きいため、このパーツの取り扱いが面倒且つ困難である。
また、浴室の広さに合わせて浴槽の長さや幅を調整したいといったような要求がある場合に、その要求に答えることができない。
【０００６】
【発明が解決しようとする課題】
本発明の主要な技術的課題は、浴槽の分割構造を改善することにより、該浴槽を、マンションやその他の住宅などにおける出入口の狭い浴室内に簡単且つ確実に搬入して設置できるようにすることにある。
本発明の他の技術的課題は、上記課題に加え、浴室の広さに合わせて浴槽の長さや幅を調整できるようにすることにある。
【０００７】
【課題を解決するための手段】
上記課題を解決するため、本発明によれば、浴槽を、長手方向及び／又は横幅方向の中間位置で一つ以上の分割線に沿って縦割りすることにより、複数の槽部分に分割した状態に形成し、上記各槽部分の結合部には、外側に張り出すフランジ状の接合縁を形成しておき、これらの槽部分を、分割状態で浴室内に搬入したあと、該浴室内において、上記接合縁を相互に接合して金具で固定すると共に、固定した接合縁の回りを上記金具ごと液密性のシール層と硬質の保護層とで被覆することにより、一体に結合することを特徴とする浴槽の設置方法が提供される。
【０００８】
この方法によれば、浴槽が該浴槽の寸法より小さい複数の槽部分に分割されているため、浴室に至る通路が狭くて曲がりくねっていたり、浴室の出入口が狭く作られていても、各槽部分をこれらの狭い通路や出入口等を通じて簡単に運搬又は方向転換しながら浴室内に運び込んで設置することができる。
【０００９】
本発明の第２の設置方法は、浴槽を、長手方向及び／又は横幅方向の中間位置で複数の分割線に沿って縦割りすることにより、槽の両端部を形成する２つの端部槽部分と、これらの端部槽部分の間に位置する１つ以上の中間槽部分とに分割した状態に形成し、上記各槽部分の結合部には、外側に張り出すフランジ状の接合縁を形成しておき、これらの槽部分を分割状態で浴室内に搬入すると共に、上記中間槽部分を取捨選択することによって浴槽の寸法を浴室に合わせて調節したあと、上記接合縁を相互に接合して金具で固定すると共に、固定した接合縁の回りを上記金具ごと液密性のシール層と硬質の保護層とで被覆することにより、相互に一体に結合することを特徴とするものである。
【００１０】
この方法によれば、各槽部分を上記のように浴室内に簡単且つ確実に搬入することができるだけでなく、浴室の広さに合わせて浴槽の長さや幅を簡単に調整することができるという利点がある。
【００１１】
本発明においては、上記浴槽がさらに、上下方向の中間位置で上下に分割されていても良い。
【００１２】
本発明の第３の方法は、上端部外周に外側に張り出すフランジ部を有する浴槽を、高さ方向の中間位置で上側槽部分と下側槽部分とに２分割すると共に、上記フランジ部を含む上側槽部分を長手方向の中間位置で右側槽部分と左側槽部分とに２分割した状態に形成し、上記各槽部分の結合部には、外側に張り出すフランジ状の接合縁を形成しておき、これらの槽部分を浴室内に搬入したあと、上記接合縁を相互に接合して金具で固定すると共に、固定した接合縁の回りを上記金具ごと液密性のシール層と硬質の保護層とで被覆することにより、該浴室内において一体に結合することを特徴とするものである。
【００１３】
そしてこの方法によっても、各槽部分をこれらの狭い通路や出入口等を通じて簡単に運搬又は方向転換しながら浴室内に運び込んで設置することができる。
【００１５】
また、本発明によれば、浴槽を長手方向及び／又は横幅方向の中間位置で一つ以上の分割線に沿って縦割りした形の複数の槽部分からなり、上記各槽部分は、それぞれの結合部に外側に張り出すフランジ状の接合縁を有していて、これらの接合縁を相互に接合して金具で固定すると共に、固定した接合縁の回りを上記金具ごと液密性のシール層と硬質の保護層とで被覆することにより、これらの槽部分を一体に結合して構成されていることを特徴とする浴槽が提供される。
【００１６】
本発明によれば更に、上端部外周に外側に張り出すフランジ部を有する浴槽であって、該浴槽を高さ方向の中間位置で上側槽部分と下側槽部分とに２分割すると共に、上記フランジ部を含む上側槽部分を長手方向の中間位置で右側槽部分と左側槽部分とに２分割した構成を有し、上記各槽部分は、それぞれの結合部に外側に張り出すフランジ状の接合縁を有していて、これらの接合縁を相互に接合して金具で固定すると共に、固定した接合縁の回りを上記金具ごと液密性のシール層と硬質の保護層とで被覆することにより、これらの槽部分を一体に結合して組み立てられていることを特徴とする浴槽が提供される。
【００１８】
【発明の実施の形態】
以下、本発明の好ましい実施形態を図面に基づいて詳細に説明する。図１〜図５は本発明の第１実施例を示すもので、この第１実施例では、一方向に長い矩形又はそれに類する外形形状を有する浴槽１Ａが、長手方向の中間位置で一つの分割線に沿って縦割りされることにより、左右２つの槽部分２，２に分割された状態に形成されており、これらの槽部分２，２を図４に示すように相互に一体に結合することにより、上記浴槽１Ａが形成されるようになっている。この浴槽１Ａは、例えば繊維強化プラスチック（ＦＲＰ）のような硬質で耐熱性のある素材により形成されていて、上端部外周に外側に張り出すフランジ部３を有している。しかし、この第１実施例の場合には、浴槽１Ａがこのようなフランジ部３を有するものに限定されない。また、浴槽１Ａを分割する位置は必ずしも該浴槽１Ａの中央である必要はなく、何れか一側に片寄った位置であっても良い。
【００１９】
上記各槽部分２，２の結合部には、図３から分かるように、外側に張り出すフランジ状の接合縁４がそれぞれ形成され、この接合縁４に、ボルトによる固定孔５が所要の間隔で複数形成されている。
【００２０】
上記浴槽１Ａは、各槽部分２，２を分割した状態のまま運搬して浴室内に運び込み、基台等に支持させた状態で図４の如く一体に結合することにより、浴室内の所定の場所に設置される。このとき２つの槽部分２，２の結合部１０は、図５のように構成される。即ち、上記２つの槽部分２，２の接合縁４，４を直接又は適宜のシール材あるいは接着剤等を介して相互に接合し、それらをボルト６ａ及びナット６ｂからなる金具で締め付けることにより固定したあと、該接合縁４，４の回りを液密性のシール層７で被覆し、更にその上を液密性のある硬質の保護層８で被覆する。この場合、上記シール層７の両側に硬質の補強材９を介在させることにより、これらの補強材９でシール層７を両側から補強することが望ましい。上記シール層７としては、例えばパテ、特にチョップパテを好適に使用することができ、また、上記補強材９としては、硬質のポリウレタンフォームが好適であり、更に、上記保護層８としては、ガラス繊維製のマットを合成樹脂で固めたものなどが好適に使用される。
なお、浴室や浴槽１Ａの構造によっては、該浴槽１Ａの前面上端のフランジ部３に、浴室の床を構成する防水パンの端部が立ち上がって一体に連結されるが、その図示は省略されている。
【００２１】
また、浴槽１Ａの内面に形成される上記槽部分２，２の継目１０ａ（図５参照）には、身体が接触した場合の違和感をなくしたり、湯あかや汚れ等が継目内部に浸透して固着するのを防止するため、合成樹脂やそれと類似する素材により塞いで平滑な面に仕上げることが望ましい。
【００２２】
上述した第１実施例によれば、浴槽１Ａが、該浴槽よりも長さの短い複数の槽部分２，２に分割されているため、浴室に至るまでの通路が狭くて曲がりくねっていたり、浴室の出入口が狭く作られていても、各槽部分２，２をこれらの狭い通路や出入口等を通じて簡単に運搬又は方向転換しながら浴室内に運び込んで設置することができる。
【００２３】
なお、図示した例では、上記浴槽１Ａが長手方向の中間位置で左右に２分割されているが、このように左右に分割する代わりに、図２に示すＡ−Ａ線に沿って横幅方向の中間位置で前後に２分割しても良い。あるいは、長手方向の中間位置と横幅方向の中間位置との両方でそれぞれ分割することにより、４分割してあっても良い。
【００２４】
図６及び図７は本発明の第２実施例を示すもので、この第２実施例では、浴槽１Ｂが、その長手方向の中間位置で複数の分割線に沿って縦割りされることにより、槽の両端部を形成する２つの端部槽部分１１，１１と、これらの端部槽部分１１，１１の間に位置する１つ以上の中間槽部分１２とに分割されている。そして、上記第１実施例の場合と同様に、これらの各槽部分１１，１１，１２を浴室内に搬入したあと、該浴室内においてこれらの端部槽部分１１，１１と中間槽部分１２とを一体に結合することにより、浴槽１Ｂが形成される。このとき、上記中間槽部分１２として、長さＬの異なるものを複数用意しておき、必要な長さのものを取捨選択して結合することにより、浴室の広さに合わせて浴槽１Ｂの長さを調節することができる。なお、上記各槽部分１１，１１，１２を結合する結合部の構造は、上記第１実施例と同じである。
また、図示した例では、上記浴槽１Ｂが長手方向の中間位置で分割されているが、横幅方向の中間位置で同様に分割しても良く、この場合には、浴槽１Ｂの前後方向の幅Ｗを調節することができる。
【００２５】
このように第２実施例によれば、各槽部分１１，１１，１２を第１実施例と同様に浴室内に簡単且つ確実に搬入することができるだけでなく、浴室の広さに合わせて浴槽１Ｂの長さや幅を簡単に調整することができるという利点がある。
【００２６】
上記第１及び第２実施例において、上記浴槽１Ａ，１Ｂは、さらに上下方向の中間位置で上下に分割されていても良い。
【００２７】
図８〜図１０は本発明の第３実施例を示すもので、この第３実施例では、上端部外周に外側に張り出すフランジ部３を有する浴槽１Ｃが、高さ方向の中間位置で上側槽部分１５と下側槽部分１６とに分割されると共に、上記フランジ部３を含む上側槽部分１５が、長手方向の中間位置で右側槽部分１５ａと左側槽部分１５ｂとに２分割されている。そして、上記第１及び第２実施例の場合と同様に、これらの各槽部分１５ａ，１５ｂ，１６を分割状態で浴室内に搬入したあと、該浴室内において一体に結合することにより浴槽１Ｃが形成される。この場合の上記各槽部分１５ａ，１５ｂ，１６を結合する結合部の構造は、上記第１実施例と同じである。
【００２８】
このように、フランジ部３を有することによって最も長さが長く且つ嵩張り易い上側槽部分１５を長手方向の中間位置で左右に２分割することにより、各槽部分１５ａ，１５ｂ，１６を狭い通路や出入口等を通じて簡単に運搬又は方向転換しながら浴室内に運び込むことができる。
【００２９】
【発明の効果】
このように本発明によれば、浴槽の分割構造を改善することにより、該浴槽を小さい寸法の複数の槽部分に分割することができるため、浴室に至る通路が狭くて曲がりくねっていたり、浴室の出入口が狭く作られていても、各槽部分をこれらの狭い通路や出入口等を通じて簡単に運搬又は方向転換しながら浴室内に運び込んで設置することができる。
また、浴槽を２つの端部槽部分と１つ以上の中間槽部分とに分割し、必要な長さの中間槽部分を取捨選択して結合することにより、浴室の広さに合わせて浴槽の長さや横幅を簡単に調節することができる。
【図面の簡単な説明】
【図１】本発明の第１実施例で使用される浴槽の分割状態を示す正面図であって、左側の槽部分のみが断面にされている。
【図２】図１の平面図である。
【図３】一方の槽部分を分割面側から見た側面図である。
【図４】図１における２つの槽部分を結合して形成した浴槽の正面図である。
【図５】図４の要部拡大断面図である。
【図６】本発明の第２実施例で使用される浴槽の分割状態を示す正面図である。
【図７】図６の平面図である。
【図８】本発明の第３実施例で使用される浴槽の分割状態を示す正面図であって、左半部のみが断面にされている。
【図９】図８における上側槽部分の平面図である。
【図１０】図９における各槽部分を結合して形成した浴槽の正面図である。
【符号の説明】
１Ａ，１Ｂ，１Ｃ      浴槽
２      槽部分
３      フランジ部
４      接合縁
７      シール層
８      保護層
１０      結合部
１１      端部槽部分
１２      中間槽部分
１５      上側槽部分
１５ａ    右側槽部分
１５ｂ    左側槽部分
１６      下側槽部分
【図１】
0003576998.tif 000002
【図２】
0003576998.tif 000003
【図３】
0003576998.tif 000004
【図４】
0003576998.tif 000005
【図５】
0003576998.tif 000006
【図６】
0003576998.tif 000007
【図７】
0003576998.tif 000008
【図８】
0003576998.tif 000009
【図９】
0003576998.tif 000010
【図１０】
0003576998.tif 000011